(57)【要約】【課題】カートリッジの装着状態及びカバーの開閉状態を１つのセンサで検出可能な画像記録装置を提供する。【解決手段】当該装置は、被覆位置においてカートリッジ装着部１１０に対面する位置に光を反射するハーフミラー１１３が設けられたカバー１１１と、発光部１０３から出力された光が入力される第１入力端６２、及び第１入力端６２に入力された光をハーフミラー１１３へ出力する第１出力端６３を有する第１導光部６１と、ハーフミラー１１３で反射された光が入力される第２入力端６６、及び第２入力端６６に入力された光を受光部１０４へ出力する第２出力端６７を有する第２導光部６５とを含む導光部材６０が設けられたインクカートリッジ３０とを備える。【選択図】図７
2015171777.tif 000002
【特許請求の範囲】
【請求項１】
印刷流体が貯留された貯留室、及び光を通過させる導光路を有するカートリッジと、
開口を通じてカートリッジが着脱される装着部と、
上記開口を覆う被覆位置及び上記開口を露出させる露出位置に移動可能であり、上記被覆位置において上記装着部に対面する位置に光を反射する反射部が設けられたカバーと、
上記装着部に装着された上記カートリッジの上記貯留室から供給された印刷流体を用いて記録媒体に画像を記録する記録処理を実行する記録部と、
上記導光路へ光を出力する発光部と、
光を受光したか否かを示す信号を出力する受光部と、
上記受光部から出力された信号に基づいて、上記装着部に上記カートリッジが装着されているか否か、及び上記カバーの位置を判断する制御部と、を備えており、
上記導光路は、上記カートリッジが上記装着部に装着された状態において、
上記発光部から出力された光が入力される第１入力端、及び上記第１入力端に入力された光を上記被覆位置の上記カバーに設けられた上記反射部へ出力する第１出力端を有する第１導光路と、
上記反射部で反射された光が入力される第２入力端、及び上記第２入力端に入力された光を上記受光部へ出力する第２出力端を有する第２導光路と、を含む画像記録装置。
【請求項２】
上記制御部は、光を受光したことを示す受光信号が上記受光部から出力されたことを条件として、上記カートリッジが上記装着部に装着され且つ上記カバーが上記被覆位置に位置している記録可能状態と判断する請求項１に記載の画像記録装置。
【請求項３】
該画像記録装置は、取得部を備えており、
上記制御部は、上記記録部に上記記録処理を実行させる記録指示を上記取得部を通じて取得し、且つ上記記録可能状態と判断したことを条件として、上記記録部に上記記録処理を実行させる請求項２に記載の画像記録装置。
【請求項４】
上記制御部は、上記記録部により上記記録処理が実行されている間に、上記受光部から出力される信号が、光を受光したことを示す受光信号から、光を受光していないことを示す非受光信号に変化したことを条件として、上記記録部に当該記録処理の実行を中断させる請求項１から３のいずれかに記載の画像記録装置。
【請求項５】
上記制御部は、上記記録処理の中断中に、上記受光部から出力される信号が、上記非受光信号から上記受光信号に変化したことを条件として、中断された上記記録処理を上記記録部に再開させる請求項４に記載の画像記録装置。
【請求項６】
上記開口は、上記カバーを上記露出位置に位置させることによって、該画像記録装置の外部に露出され、
上記制御部は、特定周期で間欠的に上記発光部に光を出力させ、
上記受光部から上記特定周期で上記受光信号が出力されたことを条件として、上記カートリッジが上記装着部に装着され且つ上記カバーが上記被覆位置に位置していると判断する請求項２から５のいずれかに記載の画像記録装置。
【請求項７】
上記被覆位置の上記カバーは、該画像記録装置の外装の一部を構成し、
上記発光部は、可視光を出力し、
上記カバーは、第１出力端から出力された光の一部を透過する透過部を有する請求項１から６のいずれかに記載の画像記録装置。
【請求項８】
上記制御部は、上記記録部から吐出された印刷流体の吐出量が閾値量に達したことを条件として、上記発光部に出力させる光を、連続的な光から特定周期での間欠的な光に切り替えさせる請求項７に記載の画像記録装置。
【請求項９】
該画像記録装置は、上記記録部、上記発光部、及び上記制御部に電力を供給する電力供給部を備えており、
上記発光部は、上記電力供給部から上記記録部に電力が供給されていることを条件として、光を出力する請求項１から８のいずれかに記載の画像記録装置。
【請求項１０】
上記制御部は、上記記録部から吐出された印刷流体の吐出量が閾値量に達したことを条件として、予め定められた発光期間が経過するまで上記発光部に光を出力させる請求項１から９のいずれかに記載の画像記録装置。
【請求項１１】
上記発光部は、上記装着部に設けられており、
上記受光部は、上記発光部から出力された光の光軸から外れた位置において上記装着部に設けられており、
上記導光路は、上記第１入力端から上記第２出力端に至る経路上において曲がっている請求項１から１０のいずれかに記載の画像記録装置。
【発明の詳細な説明】
【技術分野】
【０００１】
本発明は、カートリッジに貯留された印刷流体を吐出することによって用紙に画像を記録する画像記録装置に関する。
【背景技術】
【０００２】
従来より、カートリッジに貯留された印刷流体を吐出することによって用紙に画像を記録する画像記録装置が知られている。このような画像記録装置において、画像記録品質の維持及び誤作動等を抑制するために、カートリッジが装着部に適切に装着されているか否かを検出する必要がある。
【０００３】
そこで、例えば特許文献１には、発光部から出力され且つカートリッジの導光部を通過した光を、ユーザが視認可能な表示部に導いたり、受光部に検出させるインクジェット記録装置が開示されている。上記構成によれば、カートリッジが装着部に適切に装着されているか否かを、ユーザ及びインクジェット記録装置に把握させることができる。
【先行技術文献】
【特許文献】
【０００４】
【特許文献１】特開２００７−１２１２号公報
【発明の概要】
【発明が解決しようとする課題】
【０００５】
また、画像記録中にカートリッジが取り外されるのを防止するために、装着部の開口を覆うカバーが閉じられているか否かを検出する機能を有するインクジェット記録装置も存在する。しかしながら、特許文献１に記載のインクジェット記録装置において、カバーが閉じられているか否かを検出するためには、センサを別途設ける必要がある。
【０００６】
そこで、本発明は、上記の事情に鑑みてなされたものであり、その目的は、カートリッジの装着状態及びカバーの開閉状態を１つのセンサで検出可能な画像記録装置を提供することにある。
【課題を解決するための手段】
【０００７】
本発明に係る画像記録装置は、印刷流体が貯留された貯留室、及び光を通過させる導光路を有するカートリッジと、開口を通じてカートリッジが着脱される装着部と、上記開口を覆う被覆位置及び上記開口を露出させる露出位置に移動可能であり、上記被覆位置において上記装着部に対面する位置に光を反射する反射部が設けられたカバーと、上記装着部に装着された上記カートリッジの上記貯留室から供給された印刷流体を用いて記録媒体に画像を記録する記録処理を実行する記録部と、上記導光路へ光を出力する発光部と、光を受光したか否かを示す信号を出力する受光部と、上記受光部から出力された信号に基づいて、上記装着部に上記カートリッジが装着されているか否か、及び上記カバーの位置を判断する制御部とを備える。そして、上記導光路は、上記カートリッジが上記装着部に装着された状態において、上記発光部から出力された光が入力される第１入力端、及び上記第１入力端に入力された光を上記被覆位置の上記カバーに設けられた上記反射部へ出力する第１出力端を有する第１導光路と、上記反射部で反射された光が入力される第２入力端、及び上記第２入力端に入力された光を上記受光部へ出力する第２出力端を有する第２導光路とを含む。
【０００８】
上記構成によれば、カートリッジが装着部に装着され且つカバーが被覆位置に位置している場合に、発光部から出力された光が受光部で受光される。その結果、１つのセンサ（すなわち、１組の発光部及び受光部）によって、カートリッジの装着状態及びカバーの開閉状態を検出可能な画像記録装置を得ることができる。
【発明の効果】
【０００９】
本発明によれば、１組の発光部及び受光部で構成される１つのセンサによって、カートリッジの装着状態及びカバーの開閉状態を検出可能な画像記録装置を得ることができる。
【図面の簡単な説明】
【００１０】
【図１】図１は、実施形態に係るカートリッジ装着部１１０を備えたプリンタ１０の内部構造を模式的に示す模式断面図である。
【図２】図２は、カートリッジ装着部１１０に設けられたカバー１１１を示す図であって、（Ａ）は露出位置におけるカバー１１１の斜視図、（Ｂ）は被覆位置におけるカバー１１１の斜視図、（Ｃ）はカバー１１１の裏面図である。
【図３】図３は、インクカートリッジ３０の外観構成を示す斜視図であって、（Ａ）はフレーム３１とフィルム４４との分解斜視図であり、（Ｂ）はフレーム３１にフィルム４４が溶着された状態を示す。
【図４】図４は、導光部材６０の斜視図であって、（Ａ）は第２出力端６７側から見た斜視図、（Ｂ）は第１出力端６３及び第２入力端６６側から見た斜視図である。
【図５】図５は、プリンタ１０の機能ブロック図である。
【図６】図６は、スイッチ回路１２０の構成を示す図である。
【図７】図７は、インクカートリッジ３０及びカートリッジ装着部１１０の断面図であって、（Ａ）はカートリッジ装着部１１０にインクカートリッジ３０が装着される過程、（Ｂ）はカートリッジ装着部１１０にインクカートリッジ３０が装着され且つカバー１１１が露出位置である状態、（Ｃ）はカートリッジ装着部１１０にインクカートリッジ３０が装着され且つカバー１１１が被覆位置である状態を示す。
【図８】図８は、制御部１３０によって実行される処理の手順を示すフローチャートであって、（Ａ）は記録指示の取得時に実行される処理、（Ｂ）は受光部１０４から出力される信号がハイレベル信号からローレベル信号に変化した時に実行される処理、（Ｃ）は受光部１０４から出力される信号がローレベル信号からハイレベル信号に変化した時に実行される処理を示す。
【図９】図９は、変形例に係るプリンタ１０の外観斜視図であって、（Ａ）はカバー１１１が被覆位置の状態、（Ｂ）はカバー１１１が露出位置の状態を示す。
【図１０】図１０は、変形例に係るキャリッジ２２及びインクカートリッジ３０の断面図であって、（Ａ）は高さ方向５２及び奥行き方向５３を含む平面における断面、（Ｂ）は幅方向５１及び奥行き方向５３を含む平面における断面を示す。
【発明を実施するための形態】
【００１１】
以下、適宜図面を参照して本発明の実施形態について説明する。なお、以下に説明される実施形態は本発明が具体化された一例にすぎず、本発明の要旨を変更しない範囲で実施形態を適宜変更できることは言うまでもない。
【００１２】
［プリンタ１０の概要］
図１に示されるように、プリンタ１０は、インクジェット記録方式に基づいて、記録用紙（記録媒体の一例）に対してインク滴を選択的に吐出することにより画像を記録するものである。プリンタ１０（画像記録装置の一例）は、記録ヘッド２１と、インク供給装置１００と、記録ヘッド２１及びインク供給装置１００を接続するインクチューブ２０とを備えている。インク供給装置１００には、カートリッジ装着部１１０（装着部の一例）が設けられている。カートリッジ装着部１１０には、インクカートリッジ３０（カートリッジの一例）が装着され得る。カートリッジ装着部１１０には、その一面に開口１１２が設けられている。インクカートリッジ３０は、開口１１２を通じてカートリッジ装着部１１０に挿入向き５６に挿入され、或いはカートリッジ装着部１１０から脱抜向き５５に抜き出される。
【００１３】
インクカートリッジ３０には、プリンタ１０で使用可能なインク（印刷流体の一例）が貯留されている。カートリッジ装着部１１０にインクカートリッジ３０が装着された状態において、インクカートリッジ３０と記録ヘッド２１とは、インクチューブ２０で接続されている。記録ヘッド２１にはサブタンク２８が設けられている。サブタンク２８は、インクチューブ２０を通じて供給されるインクを一時的に貯留する。記録ヘッド２１は、インクジェット記録方式によって、サブタンク２８から供給されたインクをノズル２９から選択的に吐出する。具体的には、記録ヘッド２１に設けられたヘッド制御基板２１Ａから各ノズル２９に対応して設けられたピエゾ素子２９Ａ（アクチュエータの一例）に駆動電圧が印加されることにより、ノズル２９から選択的にインクが吐出される。
【００１４】
プリンタ１０は、以下のような記録用紙搬送機構を備えている。すなわち、給紙トレイ１５から給紙ローラ２３によって搬送路２４へ給送された記録用紙は、搬送ローラ対２５によってプラテン２６上へ搬送される。記録ヘッド２１は、プラテン２６上を通過する記録用紙に対してインクを選択的に吐出する。これにより、記録用紙に画像が記録される。プラテン２６を通過した記録用紙は、排出ローラ対２７によって、搬送路２４の最下流側に設けられた排紙トレイ１６に排出される。記録ヘッド２１、給紙ローラ２３、搬送ローラ対２５、及び排出ローラ対２７等は、記録部の一例である。また、記録部によって実行される前述の処理は、記録処理の一例である。
【００１５】
［インク供給装置１００］
インク供給装置１００は、図１に示されるように、プリンタ１０に設けられている。インク供給装置１００は、プリンタ１０が備える記録ヘッド２１にインクを供給するものである。インク供給装置１００は、インクカートリッジ３０を装着可能なカートリッジ装着部１１０を備えている。カートリッジ装着部１１０は、ケース１０１と、インクニードル１０２と、発光部１０３と、受光部１０４とを備えている。
【００１６】
なお、図１には、カートリッジ装着部１１０にインクカートリッジ３０が装着された状態が示されている。カートリッジ装着部１１０には、シアン、マゼンタ、イエロー、ブラックの各色に対応する４つのインクカートリッジ３０が収容可能である。また、インクニードル１０２、発光部１０３、及び受光部１０４は、４つのインクカートリッジ３０それぞれに対応して、４つずつ設けられている。なお、カートリッジ装着部１１０に装着されるインクカートリッジ３０の数は４つに限定されず、１以上であればよい。
【００１７】
［インクニードル１０２］
ケース１０１には、開口１１２が形成されている。また、ケース１０１は、開口１１２とは反対側に位置する奥面を備えている。インクニードル１０２は、図１に示されるように、ケース１０１の奥面から脱抜向き５５に突出している。インクニードル１０２は、ケース１０１の奥面において、インクカートリッジ３０のインク供給部３５に対面し得る位置に配置されている。インクニードル１０２は、内部に流路が形成された管状の樹脂針であって、その突出端側に開口が設けられており、基端側にインクチューブ２０が接続されている。インク室３６内のインクは、インク供給部３５に進入したインクニードル１０２を通じてインクチューブ２０に流出される。
【００１８】
プリンタ１０は、図２に示されるように、カートリッジ装着部１１０の開口１１２を被覆或いは露出させるカバー１１１を備えている。カバー１１１は、その下端において幅方向５１に延びる回動軸周りに回動することによって、図２（Ａ）に示される露出位置と、図２（Ｂ）に示される被覆位置との間を回動する。また、カバー１１１には、図２（Ｂ）及び図２（Ｃ）に示されるように、ハーフミラー１１３（反射部及び透過部の一例）が設けられている。
【００１９】
カバー１１１は、図２（Ａ）に示される露出位置において、開口１１２をプリンタ１０の外部に露出させる。この状態において、ユーザは、開口１１２を通じてカートリッジ装着部１１０にインクカートリッジ３０を挿入することが可能、或いはカートリッジ装着部１１０からインクカートリッジ３０を抜き出すことが可能となる。また、カバー１１１は、図２（Ｂ）に示される被覆位置において、開口１１２を被覆する。被覆位置のカバー１１１は、プリンタ１０の外装の一部を構成する。例えば、カバー１１１は、ユーザがプリンタ１０を使用するときに対面するプリンタ１０の壁面であるユーザインターフェイス面の一部を構成する。また、この状態において、ユーザは、インクカートリッジ３０をカートリッジ装着部１１０に対して挿抜することができない。
【００２０】
ハーフミラー１１３は、カバー１１１を被覆位置に位置させた時に、カートリッジ装着部１１０に装着された４つのインクカートリッジ３０それぞれに対面する位置に設けられている。ハーフミラー１１３は、入力された光の一部を反射し、他の一部を透過する。また、ハーフミラー１１３は、図２（Ｂ）及び図２（Ｃ）に示されるように、カバー１１１の内面（カートリッジ装着部１１０に対面する側の面）及び外面（内面と反対側の面）に露出されている。
【００２１】
［発光部１０３、受光部１０４］
発光部１０３は、制御部１３０の制御に従って任意の波長の光（本実施形態では、可視光）を出力する。受光部１０４は、光を受光したか否かを示す信号を制御部１３０に出力する。受光部１０４は、例えば、光が受光できない（すなわち、受光強度が所定の強度未満である）ことを条件として、ローレベル信号（非受光信号の一例であって、「信号レベルが閾値レベル未満の信号」を指す。）を出力する。一方、受光部１０４は、光が受光できた（すなわち、受光強度が所定の強度以上である）ことを条件として、ハイレベル信号（受光信号の一例であって、「信号レベルが閾値レベル以上の信号」を指す。）を出力する。
【００２２】
発光部１０３と受光部１０４とは、図１に示されるように、発光部１０３から出力された光が受光部１０４で直接受光されない位置関係でカートリッジ装着部１１０内に配置される。換言すれば、受光部１０４は、発光部１０３から出力された光の光軸から外れた位置に配置されている。本実施形態における発光部１０３は、カートリッジ装着部１１０の天面において、高さ方向５２においてインクカートリッジ３０と対面し得る位置に配置されている。また、本実施形態における受光部１０４は、カートリッジ装着部１１０の奥面において、奥行き方向５３においてインクカートリッジ３０と対面し得る位置に配置されている。
【００２３】
［インクカートリッジ３０］
インクカートリッジ３０は、図３に示されるように、インク室３６を区画するフレーム３１と、インク供給部３５とを有する。このインクカートリッジ３０は、インク室３６に貯留されたインクをインク供給部３５を通じて外部に供給する。インクカートリッジ３０は、図３に示された起立状態、つまり、同図の下側の面を底面とし、同図の上側の面を上面として、カートリッジ装着部１１０に対して挿入及び取出方向５０に沿って挿抜される。本実施形態では、挿入及び取出方向５０は水平方向である。また、起立状態におけるインクカートリッジ３０の幅方向５１及び奥行き方向５３もそれぞれ水平方向である。また、起立状態におけるインクカートリッジ３０の高さ方向５２は重力方向（鉛直方向）である。また、脱抜向き５５及び挿入向き５６は、各々が挿入及び取出方向５０に沿う向きであり、且つ互いに反対の向きである。さらに、挿入及び取出方向５０は、奥行き方向５３に一致する。
【００２４】
フレーム３１は、外形が概ね直方体であり、幅方向（左右方向）５１に細く、高さ方向（上下方向）５２及び奥行き方向（前後方向）５３の寸法が幅方向５１の寸法よりも大きい扁平形状である。フレーム３１は、奥行き方向５３から平面視したときに少なくとも部分的に重なり合う前壁４０及び後壁４１と、高さ方向５２から平面視したときに少なくとも部分的に重なり合う上壁３９及び下壁４２と、幅方向５１の一方側（図３（Ａ）の例では、前壁４０側からフレーム３１を平面視したときに右側）に配置された右壁３８とで構成されている。インクカートリッジ３０がカートリッジ装着部１１０へ装着されるときに前方側となる（換言すれば、挿入向き５６を向く）のが前壁４０であり、後方側となる（換言すれば、脱抜向き５５を向く）のが後壁４１である。
【００２５】
また、フレーム３１は、幅方向５１の左側（図３（Ａ）の例では、前壁４０側からフレーム３１を平面視したときに左側）の面が開放されている。そして、開放されたフレーム３１の面は、フィルム４４によって封止される。フィルム４４の外形は、幅方向５１から平面視した場合のフレーム３１の外形と概ね一致する。フィルム４４は、図３（Ｂ）に示されるように、フレーム３１の幅方向５１の他方側（左側）に配置されて、幅方向５１におけるインク室３６の左壁３７を構成する。フィルム４４は、上壁３９、前壁４０、後壁４１、及び下壁４２の左端面に熱溶着される。これにより、右壁３８、上壁３９、前壁４０、後壁４１、下壁４２、及びフィルム４４で区画されたインク室３６にインクが貯留可能となる。
【００２６】
インク供給部３５は、図１及び図３（Ａ）に示されるように、前壁４０の下部において、前壁４０の外面から前方（フレーム３１から遠ざかる向き）に突出している。インク供給部３５は、概ね円筒形状であって、その内部空間の一端がインクカートリッジ３０の外部に開口され、他端がインク室３６に連通される。カートリッジ装着部１１０に装着される前のインクカートリッジ３０のインク供給部３５は、閉塞部材（不図示）等によって閉塞されている。そして、インクカートリッジ３０がカートリッジ装着部１１０に装着される過程において、インクニードル１０２がインク供給部３５に進入して閉塞部材による閉塞を解除する。これにより、インク室３６内のインクがインク供給部３５を通じてインクニードル１０２に流出される。
【００２７】
［導光部材６０］
インクカートリッジ３０は、図３に示されるように、光を通過させる導光部材６０（導光路の一例）を有する。本実施形態における導光部材６０は、フレーム３１の右壁３８に埋設されている。より具体的には、導光部材６０は、その一部がフレーム３１に固定されており、それ以外の部分がフレーム３１とは接触しておらず、空気との間で界面を有する。導光部材６０を構成する材料は特に限定されないが、例えば、アクリル樹脂、ポリカーボネート等の樹脂材料を採用することができる。導光部材６０は、図３及び図４に示されるように、第１導光部６１（第１導光部の一例）と、第２導光部６５（第２導光部の一例）とで構成されている。
【００２８】
第１導光部６１は、上壁３９においてインクカートリッジ３０の外部に露出された第１入力端６２と、後壁４１においてインクカートリッジ３０の外部に露出された第１出力端６３とを有する。第１導光部６１は、途中で屈曲されている。右壁３８に埋設された第１導光部６１は、第１入力端６２から屈曲位置に至る第１部分６１Ａが高さ方向５２に延設され、屈曲位置から第１出力端６３に至る第２部分６１Ｂが奥行き方向５３に延設されている。第１導光部６１の屈曲部６４は、第１部分６１Ａを進行する光が当該屈曲部６４で反射されて第２部分６１Ｂを進行するように傾斜している。第２導光部６５は、後壁４１においてインクカートリッジ３０の外部に露出された第２入力端６６と、前壁４０においてインクカートリッジ３０の外部に露出された第２出力端６７とを有する。右壁３８に埋設された第２導光部６５は、第２入力端６６から第２出力端６７までが奥行き方向５３に直線的に延設されている。
【００２９】
図７（Ｂ）及び図７（Ｃ）に示されるように、カートリッジ装着部１１０にインクカートリッジ３０が装着された状態において、第１入力端６２は高さ方向５２において発光部１０３に対面する位置に設けられており、第２出力端６７は奥行き方向５３において受光部１０４に対面する位置に設けられている。また、図７（Ｃ）に示されるように、カートリッジ装着部１１０にインクカートリッジ３０が装着され且つカバー１１１が被覆位置にされた状態において、第１出力端６３及び第２入力端６６は、奥行き方向５３においてハーフミラー１１３に対面する位置に設けられている。
【００３０】
本実施形態において、発光部１０３から出力される光の光軸は、高さ方向５２と平行である。第１導光部６１の屈曲部６４は、発光部１０３から出力される光の光軸に沿って第１部分６１Ａ内を進行する光線を反射して、奥行き方向５３とは若干の角度を成す方向に沿って第２部分６１Ｂ内を進行させるように傾斜している。なお、第２部分６１Ｂ内における光線の進行方向と奥行き方向５３とのなす角（換言すれば、屈曲部６４の傾斜角度）は、第１出力端６３を通じて第１導光部６１から出力され且つハーフミラー１１３で反射された光の大部分が、第２入力端６６を通じて第２導光部６５に入力されるように、適宜設定される。
【００３１】
［制御部１３０］
プリンタ１０は、さらに制御部１３０を備える。制御部１３０は、図５に示されるように、ＣＰＵ１３１、ＲＯＭ１３２、ＲＡＭ１３３、ＥＥＰＲＯＭ１３４、及びＡＳＩＣ１３５を備えており、これらは内部バス１３７によって接続されている。ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。なお、ＣＰＵ１３１、ＲＯＭ１３２、ＲＡＭ１３３、ＥＥＰＲＯＭ１３４、及びＡＳＩＣ１３５は、その一部又は全部が１つのＩＣチップで構成されていてもよいし、複数のＩＣチップに分かれて構成されていてもよい。
【００３２】
制御部１３０は、不図示のモータを駆動させることによって、給紙ローラ２３、搬送ローラ対２５、及び排出ローラ対２７を回転させる。また、制御部１３０は、記録ヘッド２１を制御することによって、ノズル２９にインクを吐出させる。具体的には、制御部１３０は、ピエゾ素子２９Ａに印加する駆動電圧の大きさを示す制御信号をヘッド制御基板２１Ａに出力する。ヘッド制御基板２１Ａは、制御部１３０から取得した制御信号に示される大きさの駆動電圧を、各ノズル２９に設けられたピエゾ素子２９Ａ（アクチュエータの一例）に印加することによって、当該ノズル２９にインクを吐出させる。
【００３３】
また、制御部１３０は、スイッチ回路１２０（図６参照）にスイッチ信号を出力することによって、発光部１０３の発光を制御する。また、制御部１３０は、操作部１０５（取得部の一例）を通じて情報（例えば、後述する各種指示）を取得する。操作部１０５は、例えば押しボタンやタッチパネル等であって、例えば前述のインターフェイス面に設けられている。操作部１０５は、押しボタンやタッチパネルがユーザによって操作されたことに応じて、当該操作に対応する操作信号を制御部１３０に出力する。そして、制御部１３０は、操作信号に含まれる情報を操作部１０５から取得する。さらに、制御部１３０は、電力供給部１０６から電力の供給を受け、電力供給部１０６に電源信号を出力する。図６を参照して、制御部１３０が操作部１０５及び電力供給部１０６と協働して、発光部１０３を制御する方法を説明する。
【００３４】
電力供給部１０６は、図６に示されるように、電源回路１０７と、電源制御回路１０８とで構成される。電源回路１０７は、外部電源から取得した電力を、記録ヘッド２１、モータ（不図示）、及び発光部１０３等に駆動電力（例えば、２４Ｖ）として出力し、制御部１３０に制御電力（例えば、５Ｖ）として出力する。電源制御回路１０８は、制御部１３０から出力される電源信号に基づいて、電源回路１０７に駆動電力の出力を開始或いは停止させる。
【００３５】
具体的には、電源制御回路１０８は、制御部１３０からハイレベル信号（電源信号の一例）を取得したことを条件として、電源回路１０７に駆動電力の出力を開始させる。一方、電源制御回路１０８は、制御部１３０からローレベル信号（電源信号の他の例）を取得したことを条件として、電源回路１０７に駆動電力の出力を停止させる。なお、制御部１３０は、ユーザによる操作部１０５の操作に応じて操作部１０５から電源ＯＮ指示を取得したことを条件として、電源制御回路１０８にハイレベル信号を出力する。一方、制御部１３０は、ユーザによる操作部１０５の操作に応じて操作部１０５から電源ＯＦＦ指示を取得したことを条件として、電源制御回路１０８にローレベル信号を出力する。さらに、制御部１３０は、記録ヘッド２１等が動作していない状態が所定の時間継続したことを条件として、電源制御回路１０８にローレベル信号を出力してもよい。この場合の電源制御回路１０８は、電源回路１０７に、構成要素の一部（例えば、記録ヘッド２１及びモータ）への駆動電力の出力を停止させ、構成要素の他の一部（例えば、発光部１０３）への駆動電力の出力を継続させてもよい。
【００３６】
発光部１０３は、図６に示されるように、スイッチ回路１２０を介して電力供給部１０６及び制御部１３０に接続されている。制御部１３０は、第１トランジスタ１２１のベース１２１Ｂにスイッチ信号を出力することによって、発光部１０３への駆動電力の供給を開始或いは停止させる。すなわち、制御部１３０は、スイッチ信号によって発光部１０３に光の出力を開始させ、或いは光の出力を停止させる。
【００３７】
スイッチ回路１２０は、第１トランジスタ１２１と、第２トランジスタ１２２と、第１トランジスタ１２１のベース１２１Ｂ及び制御部１３０の間に設けられた抵抗１２３と、第１トランジスタ１２１のベース１２１Ｂ及びエミッタ１２１Ｅの間に設けられた抵抗１２４と、第１トランジスタ１２１のコレクタ１２１Ｃ及び第２トランジスタ１２２のベース１２２Ｂの間に設けられた抵抗１２５と、第２トランジスタ１２２のコレクタ１２２Ｃ及び発光部１０３の間に設けられた抵抗１２６とで構成される。また、第２トランジスタ１２２のエミッタ１２２Ｅには、電源回路１０７から駆動電力が供給される。
【００３８】
制御部１３０から第１トランジスタ１２１のベース１２１Ｂにハイレベル信号（スイッチ信号の一例）が出力されると、第１トランジスタ１２１が導通状態となって、コレクタ１２１Ｃからエミッタ１２１Ｅに電流が流れる。これにより、第２トランジスタ１２２が導通状態となって、駆動電力が第２トランジスタ１２２を通じて発光部１０３に供給される。一方、制御部１３０からベース１２１Ｂにローレベル信号（スイッチ信号の他の例）が出力される（或いは、スイッチ信号が出力されない）と、第１トランジスタ１２１及び第２トランジスタ１２２が共に非導通状態となって、発光部１０３への駆動電力の供給が停止される。
【００３９】
なお、本実施形態に係る制御部１３０は、電源回路１０７から制御電力の供給を受けていることを条件として、ベース１２１Ｂにハイレベル信号を出力し続けるものとする。その結果、本実施形態に係る発光部１０３は、電源回路１０７から駆動電力が出力されていることを条件として、光を出力し続けることになる。また、制御部１３０が発光部１０３の発光を制御する方法は上記の例に限定されない。例えば、電力供給部１０６と発光部１０３とを抵抗１２６を介して接続し、スイッチ回路１２０のその他の構成要素は省略してもよい。そして、制御部１３０は、電源制御回路１０８に出力する電源信号を切り替えることによって、発光部１０３の発光を制御してもよい。
【００４０】
さらに、制御部１３０は、受光部１０４から取得した信号に基づいて、カートリッジ装着部１１０にインクカートリッジ３０が装着されているか否か、及びカバー１１１の位置を判断する。具体的には、制御部１３０は、受光部１０４からローレベル信号が出力されていることを条件として、カートリッジ装着部１１０にインクカートリッジ３０が装着されていない、或いはカバー１１１が露出位置に位置していると判断する。一方、制御部１３０は、受光部１０４からハイレベル信号が出力されていることを条件として、カートリッジ装着部１１０にインクカートリッジ３０が装着されており且つカバー１１１が被覆位置に位置していると判断する。なお、受光部１０４からハイレベル信号が出力されている状態は、記録可能状態の一例である。
【００４１】
例えば、カートリッジ装着部１１０にインクカートリッジ３０が装着されていない状態、或いはカートリッジ装着部１１０にインクカートリッジ３０が装着される過程（図７（Ａ）参照）において、受光部１０４は、発光部１０３から出力された光を受光することができないので、ローレベル信号を制御部１３０に出力する。また、カートリッジ装着部１１０にインクカートリッジ３０が装着され且つカバー１１１が露出位置の状態（図７（Ｂ）参照）において、発光部１０３から出力された光は、第１入力端６２から第１導光部６１に入力され、第１出力端６３からインクカートリッジ３０の外部（すなわち、プリンタ１０の外部）へ奥行き方向５３に出力される。しかしながら、受光部１０４は、この光を受光することができないので、ローレベル信号を制御部１３０に出力する。
【００４２】
一方、カートリッジ装着部１１０にインクカートリッジ３０が装着され且つカバー１１１が被覆位置の状態（図７（Ｃ）参照）において、発光部１０３から出力された光は、第１入力端６２から第１導光部６１に入力され、第１出力端６３からインクカートリッジ３０の外部へ出力される。第１出力端６３から出力された光の一部は、ハーフミラー１１３で反射されて第２入力端６６から第２導光部６５に入力され、第２出力端６７からインクカートリッジ３０の外部へ出力される。そして、受光部１０４は、第２出力端６７から出力された光を受光し、ハイレベル信号を制御部１３０に出力する。また、第１出力端６３から出力された光の他の一部は、ハーフミラー１１３を透過してカバー１１１の外部（すなわち、プリンタ１０の外部）に出力される。
【００４３】
［プリンタ１０の動作］
次に、図８を参照して、プリンタ１０の動作を説明する。なお、図８に示される各処理は、ＣＰＵ１３１がＲＯＭ１３２からプログラムを読み出すことによって実行されてもよいし、ＡＳＩＣ１３５やＦＰＧＡ等のハードウエア回路によって実行されてもよい。
【００４４】
まず、制御部１３０は、ユーザによる操作部１０５の操作に応じて操作部１０５から記録指示を取得したことを条件として、図８（Ａ）に示される処理を開始する。記録指示は、記録用紙に画像を記録する記録処理を実行させる指示である。記録指示を取得した制御部１３０は、受光部１０４から出力されている信号を確認する（Ｓ１）。なお、制御部１３０は、ステップＳ１において、４つの受光部１０４それぞれから出力されている信号を確認する。
【００４５】
制御部１３０は、４つの受光部１０４全てからハイレベル信号が出力されている（すなわち、記録可能状態である）ことを条件として（Ｓ１：Ｙｅｓ）、記録部（記録ヘッド２１、給紙ローラ２３、搬送ローラ対２５、及び排出ローラ対２７等）に記録指示に従った記録処理を実行させる（Ｓ２）。一方、制御部１３０は、４つの受光部１０４の少なくとも１つからローレベル信号が出力されていることを条件として（Ｓ１：Ｎｏ）、記録処理が実行できないことをユーザに報知する（Ｓ３）。報知の具体的な方法は特に限定されないが、例えば、表示部（不図示）にメッセージ或いはアニメーションを表示させてもよいし、スピーカ（不図示）からガイド音声を出力してもよい。
【００４６】
次に、制御部１３０は、４つの受光部１０４の少なくとも１つから出力される信号がハイレベル信号（図中「Ｈｉｇｈ」と表記する。）からローレベル信号（図中「Ｌｏｗ」と表記する。）に変化したことを条件として、カバー１１１を被覆位置から露出位置に移動させる開放操作が実行されたと判断し、図８（Ｂ）に示される処理を開始する。但し、ハイレベル信号からローレベル信号への変化は、４つの受光部１０４において同時に生じるのが一般的である。
【００４７】
まず、制御部１３０は、受光部１０４から出力される信号がハイレベル信号からローレベル信号に変化した時点において、記録部によって記録処理が実行中であるか否かを判断する（Ｓ１１）。そして、制御部１３０は、記録処理が実行中であることを条件として（Ｓ１１：Ｙｅｓ）、記録部に当該記録処理の実行を中断させる（Ｓ１２）。また、制御部１３０は、中断した記録処理を再開するための再開情報（例えば、画像データや再開位置等）をＥＥＰＲＯＭ１３４に記憶させる。一方、制御部１３０は、記録処理が実行中でないことを条件として（Ｓ１１：Ｎｏ）、ステップＳ１２をスキップする。
【００４８】
次に、制御部１３０は、４つの受光部１０４全てから出力される信号がローレベル信号からハイレベル信号に変化したことを条件として、カバー１１１を露出位置から被覆位置に移動させる閉塞操作が実行されたと判断し、図８（Ｃ）に示される処理を開始する。一方、４つの受光部１０４の一部のみから出力される信号がローレベル信号からハイレベル信号に変化した場合、制御部１３０は、４つのインクカートリッジ３０の少なくとも１つがカートリッジ装着部１１０に装着されていないと判断し、図８（Ｃ）に示される処理を実行しない。
【００４９】
まず、制御部１３０は、４つの受光部１０４全てから出力される信号がローレベル信号からハイレベル信号に変化した時点において、中断中の記録処理が存在するか否かを確認する（Ｓ２１）。具体的には、制御部１３０は、ＥＥＰＲＯＭ１３４に再開情報が記憶されているか否かを確認すればよい。そして、制御部１３０は、中断中の記録処理が存在することを条件として（Ｓ２１：Ｙｅｓ）、ＥＥＰＲＯＭ１３４から読み出した再開情報に従って記録部に記録処理を再開させる（Ｓ２２）。一方、制御部１３０は、中断中の記録処理が存在しないことを条件として（Ｓ２１：Ｎｏ）、ステップＳ２２をスキップする。
【００５０】
［実施形態の作用効果］
上記の実施形態によれば、カートリッジ装着部１１０にインクカートリッジ３０が装着され且つカバー１１１が被覆位置に位置している状態において、発光部１０３から出力された光が受光部１０４で受光される。一方、カートリッジ装着部１１０にインクカートリッジ３０が装着されていない、或いはカバー１１１が露出位置に位置している状態において、発光部１０３から出力された光が受光部１０４で受光されない。その結果、１つのセンサ（すなわち、１組の発光部１０３及び受光部１０４）によって、インクカートリッジ３０の装着状態及びカバー１１１の開閉状態を検出可能なプリンタ１０を得ることができる。
【００５１】
なお、カバー１１１が露出位置に位置していたとしても、カートリッジ装着部１１０にインクカートリッジ３０が適切に装着されていれば、記録処理を実行することができる。しかしながら、記録処理中にインクカートリッジ３０が引き抜かれると、正常に記録処理を継続できないばかりでなく、プリンタ１０が損傷する可能性がある。そこで、図８（Ａ）に示されるように、カートリッジ装着部１１０にインクカートリッジ３０が装着され且つカバー１１１が被覆位置に位置していることを条件として、記録処理を開始するのが望ましい。また、図８（Ｂ）に示されるように開放操作が実行されたことを条件として記録処理を中断し、図８（Ｃ）に示されるように閉塞操作が実行されたことを条件として記録処理を再開することにより、記録処理中にインクカートリッジ３０が引き抜かれる危険を回避することができる。
【００５２】
また、本実施形態では、発光部１０３から出力された光は、第１入力端６２を通じて第１導光部６１に入力され、屈曲部６４で反射され、第１出力端６３を通じて第１導光部６１から出力され、ハーフミラー１１３で反射されるかハーフミラー１１３を透過する。そして、ハーフミラー１１３で反射された光の大部分は、第２入力端６６を通じて第２導光部６５に入力され、第２出力端６７を通じて第２導光部６５から出力され、受光部１０４に到達する。そこで、発光部１０３から出力される光の光軸に沿って第１部分６１Ａ内を進行する光線を反射し且つ奥行き方向５３とは若干の角度を成す方向に沿って第２部分６１Ｂ内を進行させるように、屈曲部６４の傾斜角度を設定したので、発光部１０３から出力された光の大部分を受光部１０４に到達させることができる。これにより、受光感度の低い受光部１０４にも当該光を確実に受光させることができる。
【００５３】
一方、発光部１０３から出力される光の光軸に沿って第１部分６１Ａ内を進行する光線を、奥行き方向５３に沿って第２部分６１Ｂ内を進行させるように屈曲部６４の傾斜角度を設定してしまうと、発光部１０３から出力された光は、第１入力端６２を通じて第１導光部６１に入力され、屈曲部６４で反射され、第１出力端６３を通じて第１導光部６１から出力され、ハーフミラー１１３で反射されるかハーフミラー１１３を透過する。そして、ハーフミラー１１３で反射された光の大部分は、再び第１出力端６３を通じて第１導光部６１に入力され、屈曲部６４で反射され、第１入力端６２を通じて第１導光部６１から出力され、発光部１０３に到達する。すなわち、発光部１０３から出力される光の大部分を受光部１０４に到達させることができない。
【００５４】
ただし、第１出力端６３を通じて第１導光部６１から出力され且つハーフミラー１１３で反射された光の大部分を、第２入力端６６を通じて第２導光部６５に入力させる方法は上記の例に限定されない。例えば、第１導光部６１の第２部分６１Ｂ及び第２導光部６５の延びる方向を、奥行き方向５３に対して互いに逆向きに同じ角度（すなわち、対称）だけ傾けてもよい。または、ハーフミラー１１３の反射面の法線方向と、第１導光部６１の第２部分６１Ｂの延びる方向とが、反射光の大部分を第２入力端６６を通じて第２導光部６５に入力させることができる所定の角度となるように、ハーフミラー１１３の設置角度を調整してもよい。
【００５５】
また、上記の実施形態のように、開口１１２がプリンタ１０の外部に露出される場合（換言すれば、カバー１１１がプリンタ１０の外装の一部を構成する場合）、プリンタ１０の外部から開口１１２を通じてカートリッジ装着部１１０内に入射した外光が受光部１０４で受光される可能性がある。そこで、制御部１３０は、特定周期での間欠的な光を発光部１０３に出力（すなわち、発光部１０３を点滅）させてもよい。すなわち、制御部１３０は、スイッチ回路１２０へ出力するスイッチ信号を、特定の周期でハイレベル信号とローレベル信号との間で切り替えてもよい。そして、制御部１３０は、受光部１０４から特定周期でハイレベル信号が出力されたことを条件として、カートリッジ装着部１１０にインクカートリッジ３０が装着され且つカバー１１１が被覆位置に位置していると判断してもよい。これにより、外光の影響に起因する誤検出を抑制することができる。
【００５６】
また、上記の実施形態に係る発光部１０３は、電源回路１０７から駆動電力が出力されていることを条件として、光を出力し続ける。これにより、記録処理が実行可能な状態において、インクカートリッジ３０の装着状態及びカバー１１１の開閉状態が常に検出可能となる。ここで、「発光部１０３が光を出力し続ける」とは、インクカートリッジ３０の装着状態及びカバー１１１の開閉状態を常に検出できる状態にすることを意味する。すなわち、前述した発光部１０３の間欠的な発光は、「発光部１０３が光を出力し続ける」に含まれるものとする。以下、発光部１０３の間欠的でない発光を「連続的な発光」と表記して区別する。
【００５７】
但し、必ずしも発光部１０３から光を出力させ続ける必要はない。一般的に、カバー１１１が開閉されるのは、インクカートリッジ３０を交換する際だけである。そこで、制御部１３０は、例えば、記録ヘッド２１から吐出されたインクの量をインクカートリッジ３０毎にカウントし、当該カウント値が閾値量に達した（すなわち、当該インクカートリッジ３０内のインク量が少なくなった或いは無くなった）ことを条件として、予め定められた発光期間が経過するまで発光部１０３に光を出力させてもよい。このとき、４つの発光部１０３全てを発光させてもよいし、閾値量に達したカウント値に対応するインクカートリッジ３０（すなわち、交換対象となるインクカートリッジ３０）に対面する発光部１０３のみを発光させてもよい。
【００５８】
また、上記の実施形態によれば、カートリッジ装着部１１０にインクカートリッジ３０が装着され且つカバー１１１が露出位置の状態（図７（Ｂ）参照）において、インクカートリッジ３０の後壁４１（第１出力端６３）から出力される光をユーザが視認可能となる。これにより、カートリッジ装着部１１０にインクカートリッジ３０が適切に装着されたことをユーザに認識させることができる。さらに、カートリッジ装着部１１０にインクカートリッジ３０が装着され且つカバー１１１が被覆位置の状態において、ハーフミラー１１３を透過した光をユーザが視認可能となる。これにより、記録処理が実行可能なことをユーザに認識させることができる。
【００５９】
また、各発光部１０３から出力される光を、当該発光部１０３に対面する装着位置に装着されるべきインクカートリッジ３０に貯留されたインクの色と同一或いは類似する色にしてもよい。例えば、シアンインクが貯留されたインクカートリッジ３０の装着位置に対面する発光部１０３は、青或いは水色の光を出力してもよい。また、各インクカートリッジ３０の後壁４１に、当該インクカートリッジ３０に貯留されたインクの色を表す情報（例えば、色を示す文字列或いは対応する色のシール等）を付加してもよい。これにより、図７（Ｂ）の状態で後壁４１から出力される光と、後壁４１に付加された情報とを比較することによって、ユーザは、インクカートリッジ３０が適切な装着位置に装着されたか否かを認識することができる。
【００６０】
また、カートリッジ装着部１１０内における各発光部１０３の位置（例えば、奥行き方向５３の位置）を互いに異ならせてもよい。この場合、各インクカートリッジ３０の第１入力端６２の位置を、当該インクカートリッジ３０を装着すべき装着位置に対面する発光部１０３の位置に合わせて異ならせる必要がある。これにより、インクカートリッジ３０が正しい装着位置に装着されなければ、図７（Ｂ）の状態で後壁４１から光が出力されず、図７（Ｃ）の状態で受光部１０４からハイレベル信号が出力されない。これにより、インクカートリッジ３０が適切な装着位置に装着されたか否かを、ユーザ及び制御部１３０に認識させることができる。
【００６１】
同様に、各受光部１０４の位置（例えば、高さ方向５２の位置）を互いに異ならせ、インクカートリッジ３０の第２出力端６７の位置を対応する受光部１０４の位置に合わせてもよい。さらに、各ハーフミラー１１３の位置（例えば、高さ方向５２の位置）を互いに異ならせ、インクカートリッジ３０の第１出力端６３及び第２入力端６６の位置を対応するハーフミラー１１３の位置に合わせてもよい。
【００６２】
さらに、制御部１３０は、電源回路１０７から駆動電力が出力されていることを条件として発光部１０３を連続的に発光させておき、前述のカウント値が閾値量に達したことを条件として間欠的な発光に切り替えてもよい。ここでは、閾値量に達したカウント値に対応するインクカートリッジ３０に対面する発光部１０３のみを連続的な発光から間欠的な発光に切り替えればよい。これにより、対応するインクカートリッジの交換をユーザに促すことができる。なお、ここでの間欠的な発光の周期は、点滅をユーザが認識できる程度に長い必要がある。一方、外光の影響を除去するための間欠的な発光は、制御部１３０が認識できれば極めて短い周期でよい。
【００６３】
なお、上記の実施形態では、導光部材６０が右壁３８に埋設されたインクカートリッジ３０の例を説明したが、導光部材６０の配置及び取付方法はこれに限定されない。例えば、フレーム３１の外面に導光部材６０を取り付けてもよいし、インク室３６の内部に導光部材６０を配置してもよい。また、導光部材６０の具体的な形状は図４の例に限定されず、発光部１０３からの出力光をハーフミラー１１３で反射させて受光部１０４に導くことができるあらゆる形状を採用することができる。また、導光部材６０は、屈折率の高いコア部を屈折率の低いクラッド部で覆う形態としてもよい。さらに、本発明の導光路は、導光部材６０に限定されず、インクカートリッジ３０内に設けられた光を通過させる空間（通路）であってもよい。
【００６４】
また、上記の実施形態では、反射部及び透過部の機能を兼ね備えたハーフミラー１１３を採用した例を説明したが、反射部及び透過部の具体例はこれに限定されない。例えば、第１出力端６３から出力される光の一部を反射させるアルミ箔（反射部の一例）と、第１出力端６３から出力される光の他の一部を透過させる貫通孔（透過部の一例）とがカバー１１１に設けられていてもよい。また、反射部及び透過部の位置関係も特に限定されず、例えば、円環形状のアルミ箔を貫通孔の周りを囲むように配置してもよい。すなわち、反射部と透過部とは、第１出力端６３に対面する位置において、互いに近接して（換言すれば、第１出力端６３から出力された光の光路上に）設けられていればよい。
【００６５】
また、上記の実施形態では、ユーザによって操作部１０５が操作されることにより、制御部１３０が操作部１０５から記録指示を取得する例を説明したが、制御部１３０が記録指示を取得する例はこれに限定されない。例えば、制御部１３０は、外部とのＰＣとのインターフェイス部（不図示、取得部の一例）から記録指示を取得してもよい。
【００６６】
［変形例］
次に、図９及び図１０を参照して、プリンタ１０の変形例を説明する。なお、上記の実施形態と共通の機能を発揮する構成要素には同一の参照番号を付して詳細な説明を省略し、相違点を中心に説明する。
【００６７】
変形例に係るプリンタ１０は、図９に示されるように、筐体１１のユーザインターフェイス面及び上面の一部に開口１１２が設けられている。また、変形例に係るカバー１１１は、開口１１２の後端において幅方向５１に延びる回動軸周りに回動することによって、図９（Ａ）に示される被覆位置と、図９（Ｂ）に示される露出位置との間を移動する。さらに、変形例に係るハーフミラー１１３は、被覆位置のカバー１１１のうちの筐体１１のユーザインターフェイス面の一部を構成する部分に設けられている。また、変形例に係るハーフミラー１１３は、後述するキャリッジ２２の移動範囲において幅方向５１に延びる帯状である。
【００６８】
また、筐体１１の内部空間には、図９（Ｂ）に示されるように、ガイドシャフト１８及びガイドレール１９が設けられている。ガイドシャフト１８及びガイドレール１９は、奥行き方向５３に離間した位置において、各々が幅方向５１に延設されている。ガイドシャフト１８及びガイドレール１９は、キャリッジ２２を支持している。キャリッジ２２は、ガイドシャフト１８及びガイドレール１９に支持されて幅方向５１に移動可能に構成されている。また、キャリッジ２２には、インクカートリッジ３０が装着される。すなわち、キャリッジ２２は、装着部の他の例である。さらに、キャリッジ２２は、図１０（Ｂ）に示されるように、当該キャリッジ２２に装着されたインクカートリッジ３０の前壁４０に対面する位置において、幅方向５１に離間して設けられた発光部１０３及び受光部１０４を有する。
【００６９】
変形例に係るインクカートリッジ３０は、図１０（Ａ）に示されるように、インク供給部３５に代えて、インク室３６内のインクを吐出する記録ヘッド４５を有する。記録ヘッド４５は、インクカートリッジ３０の下壁４２に設けられている。また、記録ヘッド４５は、キャリッジ２２にインクカートリッジ３０が装着された時に、キャリッジ２２の下面に設けられた開口２２Ａを通じて、キャリッジ２２の外部に露出される。キャリッジ２２にインクカートリッジ３０が装着されると、インクカートリッジ３０に設けられた電気的接点（不図示）とキャリッジ２２に設けられた電気的接点（不図示）とが接触し、制御部１３０とインクカートリッジ３０の記録ヘッド４５とが電気的に接続される。これにより、制御部１３０がインクカートリッジ３０の記録ヘッド４５を駆動可能となる。
【００７０】
また、図９及び図１０において不図示の搬送ローラ対２５及び排出ローラ対２７は、高さ方向５２においてキャリッジ２２の下面と対面する位置に記録用紙を搬送する。そして、キャリッジ２２が幅方向５１に移動する過程において記録ヘッド４５からインクが選択的に吐出されることによって、搬送ローラ対２５及び排出ローラ対２７によって搬送された記録用紙に画像が記録される。前述の処理は、記録処理の他の例である。
【００７１】
変形例に係る導光部材６０は、図１０（Ａ）に示されるように、インクカートリッジ３０の上部に設けられている。変形例に係る第１導光部６１は、図１０（Ｂ）に示されるように、幅方向５１の中央より右壁３８側において前壁４０からインクカートリッジ３０の外部に露出される第１入力端６２と、幅方向５１の概ね中央部において後壁４１からインクカートリッジ３０の外部に露出される第１出力端６３との間において湾曲している。変形例に係る第２導光部６５は、幅方向５１の中央より左壁３７側において前壁４０からインクカートリッジ３０の外部に露出される第２出力端６７と、幅方向５１の概ね中央部において後壁４１からインクカートリッジ３０の外部に露出される第２入力端６６との間において湾曲している。
【００７２】
キャリッジ２２にインクカートリッジ３０が装着された状態において、第１入力端６２は奥行き方向５３において発光部１０３と対面し、第２出力端６７は奥行き方向５３において受光部１０４と対面する。また、キャリッジ２２にインクカートリッジ３０が装着され且つカバー１１１が被覆位置に位置する状態において、第１出力端６３及び第２入力端６６は奥行き方向５３においてハーフミラー１１３と対面する。
【００７３】
上記構成によれば、キャリッジ２２にインクカートリッジ３０が装着され且つカバー１１１が被覆位置の状態において、キャリッジ２２が幅方向５１のどの位置に移動したとしても、受光部１０４からハイレベル信号が出力される。その結果、制御部１３０は、インクカートリッジ３０の装着状態及びカバー１１１の位置を把握して、図８（Ａ）〜図８（Ｃ）の処理を実行することができる。
【００７４】
なお、上記の実施形態及び変形例では、発光部１０３からの出力光の光軸から外れた位置に配置された受光部１０４に当該出力光を受光させるために、導光部材６０の一部を屈曲（実施形態）させたり、湾曲（変形例）させている。このように、導光部材６０は、第１入力端６２から第２出力端６７に至る経路上において曲がっていればよい。
【００７５】
また、上記の実施形態及び変形例では、発光部１０３、受光部１０４、及びハーフミラー１１３をプリンタ１０側に設けた例を説明したが、各構成要素の配置はこれに限定されず、その一部がインクカートリッジ３０に設けられていてもよい。例えば図３の例において、第１導光部６１の屈曲位置（第１入力端の他の例）において第１出力端６３に向けて光を出力する発光部１０３を設けてもよい。この場合、第１導光部６１の第１部分６１Ａは省略することができ、導光部材６０は曲がっていなくてもよい。
【００７６】
さらに、プリンタ１０のプリント方式は、インクジェット記録方式に限定されず、例えば、トナー（印刷流体の他の例）によって記録用紙に画像を記録する電子写真方式等であってもよい。
【符号の説明】
【００７７】
１０・・・プリンタ
２１，４５・・・記録ヘッド
２２・・・キャリッジ
２９・・・ノズル
３０・・・インクカートリッジ
３６・・・インク室
６０・・・導光部材
６１・・・第１導光部
６２・・・第１入力端
６３・・・第１出力端
６５・・・第２導光部
６６・・・第２入力端
６７・・・第２出力端
１０３・・・発光部
１０４・・・受光部
１０５・・・操作部
１０６・・・電力供給部
１１０・・・カートリッジ装着部
１１１・・・カバー
１１２・・・開口
１１３・・・ハーフミラー
１３０・・・制御部
【図１】
2015171777.tif 000003
【図２】
2015171777.tif 000004
【図３】
2015171777.tif 000005
【図４】
2015171777.tif 000006
【図５】
2015171777.tif 000007
【図６】
2015171777.tif 000008
【図７】
2015171777.tif 000009
【図８】
2015171777.tif 000010
【図９】
2015171777.tif 000011
【図１０】
2015171777.tif 000012